(57)【要約】【課題】長尺状の導光体の両端部の各々に光源を配置した場合であっても、光源から導光体に入射する光の入光効率が低下することを抑制することができる照明器具を提供する。【解決手段】照明器具１は、側面から光が取り出される長尺状の導光体１０と、導光体１０の長手方向の一方の端部の端面に対向して配置された第１光源２１と、導光体１０の長手方向の他方の端部の端面に対向して配置された第２光源２２と、導光体１０の長手方向の一方の端部及び他方の端部の各々を摺動可能に保持し、導光体１０の一方の端部と第１光源２１との間の空間を囲む光反射面と導光体１０の他方の端部と第２光源２２との間の空間を囲む光反射面とを有する保持部材３０とを備え、導光体１０は、固定部材によって長手方向の略中央で固定されている。【選択図】図９
2020013707.tif 000002
【特許請求の範囲】
【請求項１】
側面から光が取り出される長尺状の導光体と、
前記導光体の長手方向の一方の端部の端面に対向して配置された第１光源と、
前記導光体の長手方向の他方の端部の端面に対向して配置された第２光源と、
前記導光体の長手方向の前記一方の端部及び前記他方の端部の各々を摺動可能に保持し、前記一方の端部と前記第１光源との間の空間を囲む光反射面と前記他方の端部と前記第２光源との間の空間を囲む光反射面とを有する保持部材とを備え、
前記導光体は、長手方向の略中央で固定されている、
照明器具。
【請求項２】
前記導光体の略中央は、固定部材によって固定されている、
請求項１に記載の照明器具。
【請求項３】
前記導光体には、前記導光体の長手方向に沿って光取り出し構造が設けられている、
請求項１又は２に記載の照明器具。
【請求項４】
前記保持部材の前記光反射面は、鏡面である、
請求項１〜３のいずれか１項に記載の照明器具。
【請求項５】
前記第１光源及び前記第２光源の少なくとも一方と前記導光体の端面との間に、集光レンズが配置されている、
請求項１〜４のいずれか１項に記載の照明器具。
【請求項６】
前記第１光源及び前記第２光源の少なくとも一方と前記保持部材との間に、前記導光体より耐熱性が高い透光部材が配置されている、
請求項１〜５のいずれか１項に記載の照明器具。
【請求項７】
前記第１光源及び前記第２光源の少なくとも一方と前記保持部材との間に、透光性を有する防水構造が設けられている、
請求項１〜６のいずれか１項に記載の照明器具。
【請求項８】
前記導光体は、当該導光体の長手方向を軸として単独で回動可能である、
請求項１〜７のいずれか１項に記載の照明器具。
【請求項９】
前記導光体は、当該導光体の長手方向を軸として前記保持部材と一体となって回動可能である、
請求項１〜７のいずれか１項に記載の照明器具。
【請求項１０】
前記導光体の前記一方の端部の端面と前記第１光源との距離と、前記導光体の前記他方の端部の端面と前記第２光源との距離は、略一致している、
請求項１〜９のいずれか１項に記載の照明器具。
【請求項１１】
前記導光体の長さは、１０００ｍｍ以上である、
請求項１〜１０のいずれか１項に記載の照明器具。
【発明の詳細な説明】
【技術分野】
【０００１】
本発明は、照明器具に関する。
【背景技術】
【０００２】
従来、光源から出射する光を長尺状の導光体の端面から入射させて、導光体の長尺状の側面から線状の光を出射させることができる照明器具が知られている（例えば、特許文献１）。
【先行技術文献】
【特許文献】
【０００３】
【特許文献１】特開平１０−２５５５３２号公報
【発明の概要】
【発明が解決しようとする課題】
【０００４】
しかしながら、長尺状の導光体の長手方向の両端部の各々に光源を配置して導光体の長手方向の両端部から導光体に光を入射させた場合、熱又は水分等によって導光体が膨張又は収縮して光源から出射する光の導光体への入光効率が低下するという課題がある。
【０００５】
本発明は、このような課題を解決するためになされたものであり、長尺状の導光体の両端部の各々に光源を配置した場合であっても、光源から導光体に入射する光の入光効率が低下することを抑制することができる照明器具を提供することを目的とする。
【課題を解決するための手段】
【０００６】
上記目的を達成するために、本発明に係る照明器具の一態様は、側面から光が取り出される長尺状の導光体と、前記導光体の長手方向の一方の端部の端面に対向して配置された第１光源と、前記導光体の長手方向の他方の端部の端面に対向して配置された第２光源と、前記導光体の長手方向の前記一方の端部及び前記他方の端部の各々を摺動可能に保持し、前記一方の端部と前記第１光源との間の空間を囲む光反射面と前記他方の端部と前記第２光源との間の空間を囲む光反射面とを有する保持部材とを備え、前記導光体は、長手方向の略中央で固定されている。
【発明の効果】
【０００７】
長尺状の導光体の両端部の各々に光源を配置した場合であっても、光源から導光体に入射する光の入光効率が低下することを抑制することができる。
【図面の簡単な説明】
【０００８】
【図１】実施の形態に係る照明器具を斜め上方から見たときの外観斜視図である。
【図２】実施の形態に係る照明器具を斜め上方から見たときの外観斜視図である。
【図３】実施の形態に係る照明器具の上面図である。
【図４】実施の形態に係る照明器具の側面図である。
【図５】図３のV−V線における実施の形態に係る照明器具の断面図である。
【図６】図３のVI−VI線における実施の形態に係る照明器具の断面図である。
【図７】図４のVII−VII線における実施の形態に係る照明器具の断面図である。
【図８】図４のVIII−VIII線における実施の形態に係る照明器具の断面図である。
【図９】実施の形態に係る照明器具の作用を説明するための図である。
【図１０】比較例の照明器具の構造を示す部分断面図である。
【図１１】変形例１に係る照明器具の部分断面図である。
【図１２】変形例２に係る照明器具の部分断面図である。
【図１３】変形例３に係る照明器具の部分断面図である。
【図１４】変形例４に係る照明器具の断面図である。
【図１５】変形例５に係る照明器具の断面図である。
【発明を実施するための形態】
【０００９】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１０】
各図は模式図であり、必ずしも厳密に図示されたものではない。また、各図において、実質的に同一の構成に対しては同一の符号を付し、重複する説明は省略又は簡略化される場合がある。また、下記の実施の形態において、「略」、「ほぼ」又は「約」の表現には、製造誤差や寸法公差等を含むという意味もある。
【００１１】
また、本明細書及び図面において、Ｘ軸、Ｙ軸及びＺ軸は、三次元直交座標系の三軸を表している。したがって、Ｘ軸及びＹ軸は、互いに直交し、かつ、いずれもＺ軸に直交する軸である。
【００１２】
（実施の形態）
実施の形態に係る照明器具１の構成について、図１〜図８を用いて説明する。図１及び図２は、実施の形態に係る照明器具１を斜め上方から見たときの外観斜視図である。図３は、同照明器具１の上面図である。図４は、同照明器具１の側面図である。図５は、図３のV−V線における同照明器具１の断面図であり、図６は、図３のVI−VI線における同照明器具１の断面図である。図７は、図４のVII−VII線における同照明器具１の断面図であり、図８は、図４のVIII−VIII線における同照明器具１の断面図である。
【００１３】
図１及び図２に示すように、照明器具１は、長尺状の照明装置であり、線状の照明光を照射する。照明器具１は、例えば高欄照明等の屋外照明として用いることができる。なお、照明器具１は、住宅、施設又は店舗等の建物内に配置される屋内照明として用いられてもよい。
【００１４】
図１〜図８に示すように、照明器具１は、長尺状の導光体１０と、第１光源２１と、第２光源２２と、保持部材３０と、基台４０とを有する。図５及び図６に示すように、第１光源２１及び第２光源２２は、基台４０内に配置されている。
【００１５】
図１〜図４に示すように、長尺状の導光体１０は、真っ直ぐな棒状の導光ロッド（導光棒）である。導光体１０の長さは、例えば５００ｍｍ以上である。本実施の形態において、導光体１０の長さ（本実施の形態では、Ｘ軸方向の長さ）は、１０００ｍｍである。なお、導光体１０の長さは、５００ｍｍ未満であってもよい。また、導光体１０の長さの上限は特に限定されるものではないが、導光体１０の長さとしては３０００ｍｍ以下である。
【００１６】
導光体１０のＸＹ断面における断面形状は、押出形状である。つまり、導光体１０の任意の断面形状は、長手方向に沿ってほぼ同じである。図７及び図８に示すように、本実施の形態において、導光体１０の断面形状は、略楕円形の長軸方向の一方の端部が平坦にカットされた形状である。具体的には、導光体１０の保持部材３０の第３保持体３３側の面が平坦面となっている。なお、導光体１０の断面形状は、これに限るものではなく、円形、楕円形、又は、矩形等の多角形等であってもよい。また、導光体１０は、押出成型によって形成することができるが、これに限るものではない。
【００１７】
導光体１０は、透光材料によって構成されている。本実施の形態において、導光体１０は、透明樹脂材料によって構成されている。具体的には、導光体１０は、アクリル樹脂によって構成されているが、これに限るものではない。
【００１８】
導光体１０は、側面から光が取り出される。具体的には、第１光源２１及び第２光源２２から出射した光は、導光体１０を導光して、導光体１０の長尺状の側面から出射する。これにより、導光体１０からは線状の光が出射する。
【００１９】
図７及び図８に示すように、本実施の形態において、導光体１０の光出射面となる側面（表側の側面）は、湾曲面である。なお、導光体１０の光出射面とは反対側の側面（裏側の側面）は、平坦面であり、保持部材３０の第３保持体３３に接している。
【００２０】
導光体１０には、導光体１０の長手方向に沿って光取り出し構造が設けられているとよい。光取り出し構造を設けることによって、導光体１０内を導光する光を導光体１０の長手方向に沿って導光体１０から出射させることができるので、導光体１０の形状に沿った線状の光を出射させることができる。
【００２１】
光取り出し構造は、例えば、ドット状又は樋状の複数の凹部からなる複数のプリズムによって構成されたプリズム群等である。各プリズム（凹部）の形状は、例えば円錐形、角錐形又はＶ溝等である。具体的には、複数のプリズムは、一列又複数列で導光体１０の長手方向に沿って、導光体１０の光が出射する出射面とは反対側の側面（第３保持体３３側の面）に形成される。この場合、各プリズムの内面は、光反射面となり、導光体１０を導光する光は、プリズムの内面と空気層との界面で全反射して光出射面（表側の側面）に向けて進行し、光出射面から導光体１０の外部に出射する。
【００２２】
なお、光取り出し構造は、導光体１０の裏側の側面ではなく表側の側面（つまり光出射面）に形成されていてもよい。この場合、プリズムの内面は屈折面となり、導光体１０を導光する光は、プリズムの内面と空気層との界面で屈折して光出射面から導光体１０の外部に出射する。このような光取り出し構造としては、直方体の複数の微小な凹部からなる凹凸構造がある。
【００２３】
さらに、光取り出し構造としては、導光体１０の表面に例えばドット状に印刷した塗料や、導光体１０に微量に添加した光拡散材なども有効である。
【００２４】
また、本実施の形態では、後述するように、保持部材３０の内面が光反射面になっており、導光体１０を導光する光の一部が光取り出し構造で屈折あるいは光取り出し構造を透過して、保持部材３０側に出射した光が保持部材３０の光反射面で反射して、再度導光体１０へ入射して光出射面へと導かれる。保持部材３０の反射率が高いほど、より多くの光が有効に出射できるようになる。
【００２５】
図５及び図６に示すように、導光体１０には、第１光源２１及び第２光源２２から出射する光が入射する。第１光源２１及び第２光源２２は、導光体１０の長手方向の両端部に配置されている。図５に示すように、第１光源２１は、導光体１０の長手方向の一方の端部である第１端部１１の端面に対向して配置されている。また、図６に示すように、第２光源２２は、導光体１０の長手方向の他方の端部である第２端部１２の端面に対向して配置されている。本実施の形態において、導光体１０の第１端部１１の端面と第１光源２１との距離と、導光体１０の第２端部１２の端面と第２光源２２との距離とは、略一致している。
【００２６】
第１光源２１及び第２光源２２の各々は、ＬＥＤ（Ｌｉｇｈｔ  Ｅｍｉｔｔｉｎｇ  Ｄｉｏｄｅ）によって構成されたＬＥＤ光源である。第１光源２１及び第２光源２２の各々は、例えば、白色光を放出する白色ＬＥＤ光源である。一例として、第１光源２１及び第２光源２２の各々は、ＣＯＢ（Ｃｈｉｐ  Ｏｎ  Ｂｏａｒｄ）構造であり、基板２０ａと、基板２０ａに実装された発光部２０ｂとを有する。発光部２０ｂは、１つ以上のＬＥＤと、ＬＥＤを封止する封止部材とによって構成されている。本実施の形態において、第１光源２１と第２光源２２とは同じ構成である。
【００２７】
基板２０ａは、ＬＥＤを実装するための実装基板であって、例えば、セラミックス基板、樹脂基板又はメタルベース基板等である。図示しないが、基板２０ａには、ＬＥＤを発光させるための直流電力を外部から受電するための一対の電極端子と、ＬＥＤに直流電力を供給するための金属配線とが設けられている。電極端子は、電源回路と電気的に接続されている。基板２０ａの平面視形状は、例えば矩形又は円形であるが、これに限るものではない。
【００２８】
ＬＥＤは、例えば、単色光を発するベアチップである。一例として、ＬＥＤは、青色光を発する青色ＬＥＤチップである。また、封止部材は、例えば透光性樹脂である。本実施の形態において、封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色ＬＥＤチップである場合、白色光を得るために、例えばＹＡＧ系の黄色蛍光体を用いることができる。封止部材は、全てのＬＥＤを一括封止するように円形状に形成されているが、複数のＬＥＤを列ごとにライン状に封止してもよいし、各ＬＥＤを１つずつ個別に封止してもよい。
【００２９】
第１光源２１及び第２光源２２は、電源回路から供給される電力によって発光する。第１光源２１から出射した光は、導光体１０の第１端部１１の端面（第１光入射面）から導光体１０内に入射する。また、第２光源２２から出射した光は、導光体１０の第２端部１２の端面（第２光入射面）から導光体１０内に入射する。つまり、導光体１０は、長手方向の両端部から光が入光する。なお、第１光源２１及び第２光源２２は、同時に発光するが、これに限るものではない。
【００３０】
保持部材３０は、導光体１０を保持する部材である。保持部材３０は、導光体１０の長手方向の第１端部１１（一方の端部）及び第２端部１２（他方の端部）の各々を摺動可能に保持している。つまり、導光体１０の第１端部１１及び第２端部１２は、保持部材３０の内面と接触した状態で導光体１０の長手方向に沿って移動することができる。
【００３１】
本実施の形態において、図１〜図４に示すように、保持部材３０は、導光体１０の全長にわたって設けられているが、これに限らない。例えば、保持部材３０は、導光体１０の第１端部１１のみ及び第２端部１２のみを保持していてもよい。つまり、保持部材３０は、導光体１０の第１端部１１を保持する第１保持部材と第２端部１２を保持する第２保持部材との２つに分離されていてもよい。この場合でも、導光体１０の光取り出し構造を透過する光を有効活用するため、導光体１０に隣接して光反射機能を有する部材を設けることが好ましい。
【００３２】
また、図５及び図６に示すように、保持部材３０は、導光体１０の第１端部１１と第１光源２１との間の空間と、導光体１０の第２端部１２と第２光源２２との間の空間とを囲っている。この場合、保持部材３０は、導光体１０の第１端部１１と第１光源２１との間の空間を囲む光反射面と、導光体１０の第２端部１２と第２光源２２との間の空間を囲む光反射面とを有する。
【００３３】
なお、保持部材３０は、導光体１０の第１端部１１近傍において、導光体１０の第１端部１１と第１光源２１との間の空間の全周を囲んでいるとよいが、これに限るものではなく、導光体１０の第１端部１１と第１光源２１との間の空間における導光体１０の全周のうちの一部が保持部材３０から露出していてもよい。例えば、図７に示される導光体１０の中央と同様に、導光体１０の第１端部１１における光出射面に対応する側面が保持部材３０から露出していてもよい。
【００３４】
導光体１０の第２端部１２でも同様に、保持部材３０は、導光体１０の第２端部１２近傍において、導光体１０の第２端部１２と第２光源２２との間の空間の全周を囲んでいるとよいが、これに限るものではなく、導光体１０の第２端部１２と第２光源２２との間の空間における導光体１０の全周のうちの一部が保持部材３０から露出していてもよい。例えば、図７に示される導光体１０の中央部分と同様に、導光体１０の第２端部１２における光出射面に対応する側面が保持部材３０から露出していてもよい。
【００３５】
保持部材３０の光反射面は、保持部材３０の導光体１０に対面する面であり、保持部材３０の内面である。保持部材３０の光反射面の光反射率は、例えば８０％以上であり、好ましくは９０％以上である。
【００３６】
また、保持部材３０の光反射面は、光を鏡面反射する鏡面であるとよい。なお、保持部材３０の光反射面は、鏡面ではなく、光を散乱反射する拡散面であってもよい。
【００３７】
保持部材３０は、導光体１０よりも長い長尺状部材であり、図５及び図６に示すように、保持部材３０の両端部は、導光体１０の両端部から突出している。つまり、保持部材３０の一方の端部は、導光体１０の第１端部１１からはみ出しており、保持部材３０の他方の端部は、導光体１０の第２端部１２からはみ出している。具体的には、保持部材３０の一方の端部は、第１光源２１の基板２０ａに当接しており、保持部材３０の他方の端部は、第２光源２２の基板２０ａに当接している。したがって、導光体１０の第１端部１１と第１光源２１（基板２０ａ）との間の空間と、導光体１０の第２端部１２と第２光源２２（基板２０ａ）との間の空間とは、導光体１０の両端部の各々からはみ出した保持部材３０によって囲まれている。保持部材３０における導光体１０の両端部の各々からはみ出した部分は、筒状であってもよい。
【００３８】
図５〜図８に示すように、本実施の形態において、保持部材３０は、第１保持体３１と、第２保持体３２と、第３保持体３３とによって構成されている。
【００３９】
第１保持体３１及び第２保持体３２の各々は、断面Ｌ字状の長尺状の板材である。つまり、第１保持体３１及び第２保持体３２の各々は、長尺状の第１板部と、第１板部に立設する長尺状の第２板部とによって構成される。第１保持体３１及び第２保持体３２は、例えば、長尺状の板材を長手方向に沿って９０度折り曲げることで形成される。
【００４０】
第１保持体３１と第２保持体３２とは、断面形状がコ字状となるように組み合わされている。具体的には、第１保持体３１の第２板部と第２保持体３２の第２板部とが重なり合うように組み合わされている。
【００４１】
第３保持体３３は、長尺状の平板である。第３保持体３３は、第１保持体３１と第２保持体３２とが重なり合う部分の内側に配置されている。
【００４２】
図８に示すように、第１保持体３１と第３保持体３３とは、ネジ３４によって固定されている。また、第２保持体３２と第３保持体３３とは、ネジ３５によって固定されている。また、図７に示すように、第１保持体３１と第２保持体３２と第３保持体３３とは、ネジ３６によって友締めされている。
【００４３】
このように構成される保持部材３０は、側面部分に長尺状の開口が形成された筐体となっており、導光体１０は保持部材３０に収納されている。具体的には、導光体１０は、保持部材３０の側面の開口から光出射面が露出するように保持部材３０に収納されている。本実施の形態において、導光体１０の光出射面（湾曲面）は、保持部材３０の開口から突出している。
【００４４】
第１保持体３１の内面及び第２保持体３２の内面は、光反射面である。本実施の形態において、第１保持体３１は、金属板の表面に光反射膜３１ａが形成された構成である。同様に、第２保持体３２は、金属板の表面に光反射膜３２ａが形成された構成であり、第３保持体３３は、金属板の表面に光反射膜３３ａが形成された構成である。光反射膜３１ａ、３２ａ及び３３ａは、表面が高反射率の高反率射膜である。
【００４５】
本実施の形態において、第１保持体３１の内面、第２保持体３２の内面及び第３保持体３３の内面は、鏡面になっている。具体的には、第１保持体３１、第２保持体３２及び第３保持体３３の表面に形成された光反射膜３１ａ、３２ａ及び３３ａが、鏡面膜になっている。一例として、光反射膜３１ａ、３２ａ及び３３ａは、銀によって構成された銀鏡面膜である。
【００４６】
また、第１保持体３１の内面、第２保持体３２の内面及び第３保持体３３の内面は、拡散面であってもよい。この場合、第１保持体３１、第２保持体３２及び第３保持体３３の表面に形成された光反射膜３１ａ、３２ａ及び３３ａは、例えば、白色樹脂材料によって構成された白色塗膜等である。
【００４７】
上述のように、保持部材３０は、導光体１０の長手方向の第１端部１１及び第２端部１２の各々を摺動可能に保持している。本実施の形態では、第１保持体３１、第２保持体３２及び第３保持体３３の各々に光反射膜３１ａ、３２ａ及び３３ａが形成されているので、導光体１０の第１端部１１及び第２端部１２は、第１保持体３１の光反射膜３１ａ、第２保持体３２の光反射膜３２ａ及び第３保持体３３の光反射膜３３ａの各々と摺動する。つまり、導光体１０の第１端部１１及び第２端部１２は、光反射膜３１ａ、３２ａ及び３３ａの表面と接触した状態で導光体１０の長手方向に沿って移動することができる。
【００４８】
なお、本実施の形態のように、第１保持体３１、第２保持体３２及び第３保持体３３に光反射膜３１ａ、３２ａ及び３３ａを形成する場合、第１保持体３１、第２保持体３２及び第３保持体３３のベース材料は、金属材料に限らず、樹脂材料等の金属材料以外であってもよい。また、第１保持体３１、第２保持体３２及び第３保持体３３のベース材料が金属材料であって表面が高反射率の光反射面になっている場合、又は、第１保持体３１、第２保持体３２及び第３保持体３３のベース材料が白色樹脂材料であって表面が拡散面になっている場合は、第１保持体３１、第２保持体３２及び第３保持体３３に光反射膜３１ａ、３２ａ及び３３ａが形成されていなくてもよい。
【００４９】
図８に示すように、導光体１０は、ネジ５０によって長手方向の略中央で固定されている。具体的には、保持部材３０の第１保持体３１に設けられたネジ穴にネジ５０をねじ込んでネジ５０の先端を導光体１０に押し付けることで、導光体１０の長手方向の略中央を保持部材３０に固定している。なお、ネジ５０は、導光体１０を固定するための固定部材の一例である。また、導光体１０は、長手方向の略中央のみで固定されており、略中央以外の箇所は、どこにも固定されていない。
【００５０】
このように、導光体１０は、導光体１０の長手方向の第１端部１１及び第２端部１２においては、保持部材３０に対して摺動可能になっているが、導光体１０の略中央においては、保持部材３０に固定されている。なお、導光体１０の略中央とは、導光体１０の全長の±１０％以内の範囲の領域である。
【００５１】
また、導光体１０の略中央に対応する位置には支持部材６０が設けられている。支持部材６０は、導光体１０の略中央を支持している。具体的には、支持部材６０は、保持部材３０の略中央に設けられており、保持部材３０を介して導光体１０を支持している。支持部材６０は、例えば、金属材料からなる断面略Ｌ字状の補強板である。
【００５２】
このように、導光体１０の略中央を支持部材６０で支持することによって、長尺状の導光体１０及び長尺状の保持部材３０がたわむことを抑制することができる。特に、導光体１０及び保持部材３０の長さが１０００ｍｍを超えると、導光体１０及び保持部材３０がたわみやすくなるが、支持部材６０によって導光体１０及び保持部材３０を支持することで導光体１０及び保持部材３０がたわむことを効果的に抑制できる。
【００５３】
図１〜図４に示すように、導光体１０の長手方向の両端部の各々には、基台４０が配置されている。図５に示すように、導光体１０の第１端部１１に配置された基台４０には、第１光源２１が載置されている。また、図６に示すように、導光体１０の第２端部１２に配置された基台４０には、第２光源２２が載置されている。基台４０は、導光体１０及び保持部材３０の長手方向の端部を支持するとともに、第１光源２１及び第２光源２２を支持している。
【００５４】
また、基台４０は、第１光源２１及び第２光源２２で発生する熱を放熱するヒートシンクとしても機能する。したがって、基台４０は、アルミニウム等の金属材料又は高熱伝導樹脂等の熱伝導率の高い材料によって作製されているとよい。本実施の形態では、第１光源２１及び第２光源２２で発生する熱を効率よく放熱するために、基台４０には、放熱フィンが設けられている。
【００５５】
図５及び図６に示すように、基台４０は、第１基台部４１、第２基台部４２及び第３基台部４３によって構成されている。本実施の形態において、第１基台部４１、第２基台部４２及び第３基台部４３は、金属材料よって構成された金属ブロックである。
【００５６】
第１光源２１及び第２光源２２は、第１基台部４１の表面に載置される。第１基台部４１は、基台４０のベース部となる。放熱フィンは、第１基台部４１に設けられている。
【００５７】
第２基台部４２は、第１基台部４１の上に配置される。具体的には、第２基台部４２は、第１基台部４１に載置された第１光源２１（第２光源２２）の基板２０ａを押さえるようにして第１基台部４１の上に配置される。つまり、第１光源２１及び第２光源２２の基板２０ａは、第１基台部４１と第２基台部４２とによって挟持されている。
【００５８】
また、第２基台部４２には、貫通孔が設けられている。第２基台部４２の貫通孔には、保持部材３０が挿入される。具体的には、保持部材３０の長手方向の端部が第２基台部４２の貫通孔にはめ込まれている。
【００５９】
第３基台部４３は、第２基台部４２を押さえ付けている。具体的には、第２基台部４２は、第１基台部４１と第３基台部４３とに挟持されている。第１基台部４１と第３基台部４３とはネジによって固定されている。
【００６０】
次に、実施の形態に係る照明器具１の作用効果について、本発明に至った経緯も含めて説明する。
【００６１】
従来より、光源から出射する光を長尺状の導光体の端面から入射させて、導光体の長尺状の側面から線状の光を出射させることができる照明器具が知られている
長尺状の導光体は、アクリル樹脂等の樹脂材料によって構成することができるが、長尺状の導光体を樹脂材料によって構成すると、導光体は、熱や水分等によって長手方向に膨張又は収縮する。
【００６２】
具体的には、光源が点灯したときに、光源から発生した熱によって導光体の温度が上昇して導光体が熱膨張する。逆に、光源が点灯状態から消灯状態になったときに、導光体の温度が低下して導光体が熱収縮する。あるいは、照明器具が屋外で使用される場合には、環境温度の変化によって導光体の加熱又は冷却が繰り返されて導光体が熱膨張又は熱収縮することもある。
【００６３】
また、導光体に水分が浸入したり（吸湿）導光体から水分が抜けていったりして、導光体が膨張又は収縮することもある。特に、照明器具を屋外で使用する場合には、水分による影響が大きい。
【００６４】
このため、長尺状の導光体を用いた照明器具において、導光体の長手方向の両端部を固定すると、導光体が膨張又は収縮して導光体に歪みが生じ、所望の光学特性を得られない場合がある。
【００６５】
そこで、導光体を摺動可能に保持することが考えられるが、導光体の長手方向の両端面の各々に光源を対向配置させた照明器具では、導光体の膨張又は収縮により導光体の長手方向の寸法が変化し、導光体の端面と光源との距離が変動する。この結果、光源から出射する光の導光体への入光効率が低下する。
【００６６】
特に、導光体の長さが比較的に長い場合には（例えば１ｍや２ｍ以上）、導光体の膨張時又は収縮時のストロークが大きくなるため、樹脂材料からなる導光体は、長手方向に数ミリ程度も変動することになる。このため、導光体と導光体の両端部の各光源との距離に偏りが生じると、一方の光源から導光体に入射する光の入光効率と他方の光源から導光体に入射する光の入光効率との差も無視することができない。
【００６７】
本発明は、このような知見に基づいてなされたものであり、本願発明者らが鋭意検討した結果、長尺状の導光体の両端部の各々に光源を配置した場合であっても、光源から出射する光の導光体への入光効率の低下を抑制できる構造を見出した。
【００６８】
具体的には、本実施の形態における照明器具１では、導光体１０の長手方向の第１端部１１及び第２端部１２の各々を摺動可能に保持する保持部材３０を備えている。
【００６９】
この構成により、導光体１０が膨張又は収縮したときに、導光体１０の長手方向の第１端部１１及び第２端部１２の各々が保持部材３０の内面に沿って摺動する。例えば、導光体１０の第１端部１１近傍においては、図９に示すように、導光体１０が長手方向に膨張又は収縮したときに、導光体１０の長手方向の第１端部１１が保持部材３０の第１保持体３１及び第２保持体３２の内面に沿って摺動する。図示しないが、導光体１０の第２端部１２近傍においても同様である。この結果、導光体１０が膨張又は収縮して導光体１０の長さが変化したとしても、その変化は、保持部材３０の内部の位置の変化として現れる。
【００７０】
このとき、本実施の形態における照明器具１では、導光体１０の長手方向の略中央がネジ５０（固定部材）によって固定されている。
【００７１】
この構成により、導光体１０が膨張又は収縮して導光体１０の長さが変化したとしても、導光体１０の中央を基準にしたときの第１端部１１側の長さの変化量と第２端部１２側の長さの変化量とは、ほぼ同じになる。この結果、導光体１０が膨張又は収縮したとしても、導光体１０の第１端部１１の端面と第１光源２１との距離の変化量と、導光体１０の第２端部１２の端面と第２光源２２との距離の変化量とは、ほぼ同じになる。
【００７２】
具体的には、本実施の形態では、導光体１０の第１端部１１の端面と第１光源２１との距離と導光体１０の第２端部１２の端面と第２光源２２との距離とが、略一致している。これにより、導光体１０が膨張又は収縮した結果、導光体１０の第１端部１１の端面と第１光源２１との距離と、導光体１０の第２端部１２の端面と第２光源２２との距離とがそれぞれ変化したとしても、導光体１０の第１端部１１の端面と第１光源２１との距離と、導光体１０の第２端部１２の端面と第２光源２２との距離とは、互いに同じままである。この結果、導光体１０が膨張又は収縮して導光体１０と第１光源２１及び第２光源２２との距離が変化した場合でも、第１光源２１から導光体１０に入射する光の入光効率と第２光源２２から導光体１０に入射する光の入光効率とは変化しないので（つまり第１光源２１と第２光源２２との入射光の差がない）、導光体１０の長手方向（導光方向）の光出力のバラツキや誤差が生じることを抑制できる。つまり、導光体１０と第１光源２１及び第２光源２２との距離が変化した場合に発生する光学ロスを軽減できる。
【００７３】
しかも、本実施の形態における照明器具１では、保持部材３０が、導光体１０の第１端部１１と第１光源２１との間の空間を囲む光反射面と導光体１０の第２端部１２と第２光源２２との間の空間を囲む光反射面とを有している。
【００７４】
この構成により、導光体１０が膨張又は収縮して導光体１０と第１光源２１及び第２光源２２との距離が変化した場合でも、第１光源２１から導光体１０に入射する光の入光効率と第２光源２２から導光体１０に入射する光の入光効率とが低下することを抑制できる。例えば、図９に示すように、第１光源２１から出射した光のうち導光体１０の第１端部１１の端面に直接入射しない光は、保持部材３０の内面である光反射面で反射して第１端部１１の端面に入射する。これにより、導光体１０が膨張又は収縮して導光体１０と第１光源２１との距離が変動したとしても、第１光源２１から導光体１０に入射する光の入光効率が低下することを抑制することができる。なお、第２光源２２から導光体１０に入射する光についても同様である。
【００７５】
ここで、保持部材３０の内面が光反射面であることの有利な効果について、図１０に示される比較例の照明器具１Ｘと比較して説明する。
【００７６】
図１０に示される比較例の照明器具１Ｘは、上記実施の形態における照明器具１に対して保持部材の構成のみが異なっており、それ以外は、上記実施の形態における照明器具１と同じである。
【００７７】
具体的には、比較例の照明器具１Ｘでは、保持部材３０Ｘの内面が光反射面ではなく光吸収面になっている。例えば、保持部材３０Ｘの第１保持体３１Ｘ及び第２保持体３２Ｘは、黒色材料によって構成されている。
【００７８】
そして、比較例の照明器具１Ｘと実施の形態に係る照明器具１とについて、導光体１０に入射する光の入光効率についてシミュレーションを行った。このシミュレーションでは、導光体１０の材質をアクリル樹脂（屈折率１．４９）とし、導光体１０の長さを１０００ｍｍとした。また、導光体１０の表面特性はフレネル反射とし、円周方向にプリズムが形成された導光体１０とした。なお、プリズムの形成領域は、導光体１０の長手方向に沿って約８００ｍｍとした。
【００７９】
また、導光体１０が膨張して伸びたときの第１光源２１（第２光源２２）と導光体１０との距離を２ｍｍとし、導光体１０が収縮して縮んだときの第１光源２１（第２光源２２）と導光体１０との距離を３．５ｍｍとした。
【００８０】
この場合、比較例の照明器具１Ｘの入光効率は、導光体１０の膨張時では８４％であり、導光体１０の収縮時では７１．２％であった。
【００８１】
一方、本実施の形態に係る照明器具１については、第１保持体３１、第２保持体３２及び第３保持体３３のベース材料を反射率９７％の金属体とし、かつ、光反射膜３１ａ、３２ａ及び３３ａの表面を光がランバート散乱する拡散面とした場合、照明器具１の入光効率は、導光体１０の膨張時では９２．５％であり、導光体１０の収縮時では８８．９％であった。このように、本実施の形態に係る照明器具１の入光効率は、比較例の照明器具１Ｘの入光効率と比べて高くなることが分かった。
【００８２】
さらに、本実施の形態に係る照明器具１において、第１保持体３１、第２保持体３２及び第３保持体３３のベース材料を反射率９７％の金属体とし、かつ、光反射膜３１ａ、３２ａ及び３３ａの表面を鏡面とした場合、照明器具１の入光効率は、導光体１０の膨張時では９３．４％となり、導光体１０の収縮時では９２．９％となり、さらに入光効率が高くなった。
【００８３】
このように、内面が光反射面である保持部材３０によって、導光体１０の第１端部１１と第１光源２１との間の空間を囲むとともに、導光体１０の第２端部１２と第２光源２２との間の空間を囲むことによって、第１光源２１及び第２光源２２から出射する光が導光体１０に入光するときの入光効率を向上させることができる。
【００８４】
以上説明したように、本実施の形態に係る照明器具１によれば、導光体１０の長手方向の第１端部１１及び第２端部１２の各々を摺動可能に保持する保持部材３０を備えている。そして、保持部材３０は、導光体１０の第１端部１１と第１光源２１との間の空間を囲む光反射面と、導光体１０の第２端部１２と第２光源２２との間の空間を囲む光反射面とを有しており、導光体１０は、ネジ５０によって長手方向の略中央で固定されている。
【００８５】
この構成により、導光体１０が膨張又は収縮した場合でも、第１光源２１及び第２光源２２から導光体１０に入射する光の入光効率が低下することを効果的に抑制することができる。
【００８６】
また、本実施の形態において、保持部材３０の光反射面は、鏡面である。
【００８７】
この構成により、第１光源２１及び第２光源２２から導光体１０に入射する光の入光効率が低下することを一層抑制できる。
【００８８】
（変形例）
以上、本発明に係る照明器具について、実施の形態に基づいて説明したが、本発明は、上記実施の形態に限定されるものではない。
【００８９】
例えば、図１１に示される照明器具１Ａのように、第１光源２１と導光体１０の端面との間に集光レンズ７０が配置されていてもよい。集光レンズ７０は、例えばコリメートレンズ又は集束レンズである。さらに、第２光源２２と導光体１０の端面との間にも集光レンズ７０が配置されていてもよい。集光レンズ７０は、第１光源２１及び第２光源２２の少なくとも一方と導光体１０の端面との間に配置されていればよい。
【００９０】
このように、集光レンズ７０を配置することで、第１光源２１又は第２光源２２から出射する光を効率よく導光体１０に入射させることができる。また、保持部材３０での内面反射を抑制することができる。これにより、光学ロスの発生を抑制できるので、第１光源２１及び第２光源２２から導光体１０に入射する光の入光効率の低下を一層抑制することができる。
【００９１】
また、図１２に示される照明器具１Ｂのように、第１光源２１と保持部材３０の開口部との間に、導光体１０より耐熱性が高い透光部材８０が配置されていてもよい。透光部材８０は、例えばガラス板であり、保持部材３０の開口部の開口端面を塞ぐように配置される。さらに、第２光源２２と保持部材３０の開口部との間にも透光部材８０が配置されていてもよい。透光部材８０は、第１光源２１及び第２光源２２の少なくとも一方と保持部材３０との間に配置されていればよい。
【００９２】
このように、耐熱性が高い透光部材８０を配置することで、第１光源２１及び第２光源２２の光出力が大きい場合（例えば１万ルーメン以上）でも、導光体１０への熱影響を小さくすることができる。これにより、導光体１０が熱膨張することを抑制できるので、第１光源２１及び第２光源２２から導光体１０に入射する光の入光効率が低下することを一層抑制することができる。また、導光体１０が熱で劣化することを抑制することができる。
【００９３】
また、図１３に示される照明器具１Ｃのように、第１光源２１と保持部材３０の開口部との間に、透光性を有する防水構造９０が設けられていてもよい。防水構造９０は、例えば、シリコーン等の透明樹脂材料によって構成された透明パッキンであり、保持部材３０の開口部の開口端面を塞ぐように配置される。さらに、第２光源２２と保持部材３０の開口部との間にも、透光性を有する防水構造９０が設けられていてもよい。透光性を有する防水構造９０は、第１光源２１及び第２光源２２の少なくとも一方と保持部材３０との間に設けられていればよい。
【００９４】
このように、透光性を有する防水構造９０を設けることで、第１光源２１及び第２光源２２から出射した光を導光体１０に入射させつつも、第１光源２１及び第２光源２２の防水対策を施すことができる。これにより、照明器具１Ｃが屋外で使用される場合であっても、第１光源２１及び第２光源２２の周辺に水が浸入することができるので、第１光源２１及び第２光源２２が劣化することを抑制することができる。
【００９５】
また、図１４に示される照明器具１Ｄのように、導光体１０が、導光体１０の長手方向を軸として単独で回動可能となるように構成されていてもよい。具体的には、図１４に示される照明器具１Ｄでは、導光体１０が円柱状であり、また、保持部材３０Ｄにおける導光体１０の第１端部１１及び第２端部１２を保持する部分（根元部分）が円筒状で導光体１０と相似形状になっている。なお、保持部材３０Ｄの内面には光反射膜３０Ｄａが形成されている。
【００９６】
この構成により、導光体１０を円周方向に回転させた場合、保持部材３０を回転させることなく、且つ、第１光源２１及び第２光源２２の発光部２０ｂと導光体１０の端面との相対的な位置関係を変更させることなく、導光体１０のみを保持部材３０の内面（本変形例では光反射膜３０Ｄａの内面）に沿って摺動回転させることができる。つまり、導光体１０は、長手方向だけではなく円周方向においても保持部材３０の内面に対して摺動可能となっている。これにより、保持部材３０を回転させることなく、かつ、第１光源２１及び第２光源２２の位置を変更させることなく、導光体１０の側面から出射する光の向きを容易に変更することができる。特に、照明器具１Ｄが設置される設置現場において、照明器具１Ｄの照明光の照射方向を容易に調整することができる。
【００９７】
また、図１５に示される照明器具１Ｅのように、導光体１０が、導光体１０の長手方向を軸として保持部材３０と一体となって回動可能となるように構成されていてもよい。具体的には、図１５に示される照明器具１Ｅでは、導光体１０が、円柱の側面の一部をカットした形状であり、また、保持部材３０Ｅにおける導光体１０の第１端部１１及び第２端部１２を保持する部分（根元部分）が、導光体１０と相似形状の筒状になっている。なお、保持部材３０Ｅの内面には光反射膜３０Ｅａが形成されている。
【００９８】
この構成により、導光体１０を周方向に回転させた場合、第１光源２１及び第２光源２２の発光部２０ｂと導光体１０の端面との相対的な位置関係を変更させることなく、導光体１０の回転に連動させて保持部材３０を回転させることができる。これにより、導光体１０を周方向に回転させるだけで、導光体１０の側面から出射する光の向きを容易に変更することができる。特に、照明器具１Ｅが設置される設置現場において、照明器具１Ｅの照明光の照射方向を容易に調整することができる。
【００９９】
また、上記実施の形態において、導光体１０の略中央を固定する固定部材としてネジ５０を用いたが、これに限らない。導光体１０の略中央を固定する固定部材としては、金具や部品等のネジ以外の構造体を用いてもよいし、これらの構造体ともにネジを用いてもよい。あるいは、導光体１０及び保持部材３０とは別の構造体を用いて導光体１０の略中央を固定するのではなく、導光体１０及び保持部材３０に形成された爪構造等の係止構造等によって、導光体１０の略中央を固定してもよい。
【０１００】
また、上記実施の形態において、第１光源２１及び第２光源２２は、基板上にＬＥＤチップを直接実装したＣＯＢタイプのＬＥＤモジュールとしたが、これに限らない。例えば、ＣＯＢタイプのＬＥＤモジュールに代えて、ＳＭＤ（Ｓｕｒｆａｃｅ  Ｍｏｕｎｔ  Ｄｅｖｉｃｅ）タイプのＬＥＤモジュールを用いても構わない。ＳＭＤタイプのＬＥＤモジュールは、樹脂製のパッケージ（容器）の凹部の中にＬＥＤチップを実装して当該凹部内に封止部材（蛍光体含有樹脂）を封入したパッケージ型のＬＥＤ素子（ＳＭＤ型ＬＥＤ素子）を用いて、これを１個又は複数個、基板に実装した構成である。
【０１０１】
また、上記実施の形態では、第１光源２１及び第２光源２２の発光部２０ｂにＬＥＤを用いたが、これに限らない。例えば、第１光源２１及び第２光源２２の発光部２０ｂに、半導体レーザ等の半導体発光素子、又は、有機ＥＬ（Ｅｌｅｃｔｒｏ  Ｌｕｍｉｎｅｓｃｅｎｃｅ）や無機ＥＬ等、ＬＥＤ以外の固体発光素子を用いてもよい。また、第１光源２１及び第２光源２２として、蛍光ランプや高輝度ランプ等の既存のランプを用いてもよい。
【０１０２】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【０１０３】
１、１Ａ、１Ｂ、１Ｃ、１Ｄ、１Ｅ  照明器具
１０  導光体
１１  第１端部
１２  第２端部
２１  第１光源
２２  第２光源
３０、３０Ｄ、３０Ｅ  保持部材
５０  ネジ（固定部材）
７０  集光レンズ
８０  透光部材
９０  防水構造
【図１】
2020013707.tif 000003
【図２】
2020013707.tif 000004
【図３】
2020013707.tif 000005
【図４】
2020013707.tif 000006
【図５】
2020013707.tif 000007
【図６】
2020013707.tif 000008
【図７】
2020013707.tif 000009
【図８】
2020013707.tif 000010
【図９】
2020013707.tif 000011
【図１０】
2020013707.tif 000012
【図１１】
2020013707.tif 000013
【図１２】
2020013707.tif 000014
【図１３】
2020013707.tif 000015
【図１４】
2020013707.tif 000016
【図１５】
2020013707.tif 000017